(57)【要約】【課題】操作面を有した複数のオプティカルドライバの筐体への実装性及びその筐体からの分解性を向上できるようにする。【解決手段】オプティカルドライバの操作面を露出させるための開口部を所定の面に有した筐体２と、案内溝部を有して筐体２の所定部位に取付けられたブラケットガイド機構８と、当該操作面を揃えた状態で複数のオプティカルドライバが取付可能となされ、かつ、ブラケットガイド機構８の案内溝部に沿って移動可能となされるブラケット２１とを備え、このブラケット２１は、筐体２の所定面以外に設けられた開口部位から挿入され、かつ、当該筐体２の開口部の方向に移動され固着されるものである。この構造によって複数のオプティカルドライバの操作面が筐体２の開口部に並ぶようにブラケット２１を再現性良く筐体２に装着したり、その筐体２から複数のオプティカルドライバが取付られたブラケット２１を容易に取り外すことができる。【選択図】　　　　図１
2004102709.tif 000002
【特許請求の範囲】
【請求項１】
操作面を有した所定の電子部品が筐体に実装される組込み機器であって、
前記電子部品の操作面を露出させるための開口部を所定の面に有した筐体と、
案内溝部を有して前記筐体の所定部位に取付けられた装着案内機構部材と、
当該操作面を揃えた状態で複数の電子部品が取付可能となされ、かつ、前記装着案内機構部材の案内溝部に沿って移動可能となされる支持固定部材とを備え、
前記支持固定部材は、
前記筐体の所定面以外に設けられた開口部位から挿入され、かつ、当該筐体の開口部の方向に移動され固着されることを特徴とする電子部品実装組み込み機器。
【請求項２】
前記電子部品は、
記録媒体を装着して情報の記録又は／及び情報の再生をする情報記録再生装置であることを特徴とする請求項１に記載の電子部品実装組み込み機器。
【請求項３】
前記筐体の所定面以外に設けられる開口部位は、
当該筐体を操作する面から見て左側面又は右側面であることを特徴とする請求項１に記載の電子部品実装組み込み機器。
【請求項４】
前記支持固定部材には、
前記装着案内機構部材の案内溝部に沿って移動可能な所定形状の係合突起部が設けられ、
前記装着案内機構部材の端面には、
前記案内溝部の一端が露出され、
前記支持固定部材の係合突起部を当該案内溝部の一端に位置合わせした後に、
前記支持固定部材を所定の方向へ押し込むように操作されることを特徴とする請求項１に記載の電子部品実装組み込み機器。
【請求項５】
前記筐体の一側面には所定形状の係合部材が設けられ、
前記支持固定部材の所定の面には取っ手が設けられ、
前記取っ手の配置面とは反対側の面には、前記筐体の係合部材に嵌合し固定可能な他の係合突起部が設けられることを特徴とする請求項１に記載の電子部品実装組み込み機器。
【請求項６】
前記装着案内機構部材には、
前記支持固定部材をロックするためのロック機構が設けられることを特徴とする請求項１に記載の電子部品実装組み込み機器。
【請求項７】
前記ロック機構には、
前記筐体の開口部方向とは反対方向に前記支持固定部材の移動を自由にする施錠レバーが設けられ、
前記施錠レバーは、
前記筐体内部の方向へ押し込むことにより前記支持固定部材をロックするようになされることを特徴とする請求項６に記載の電子部品実装組み込み機器。
【請求項８】
筐体の所定の面に予め形成された開口部に、その操作面が外部に露出可能なように電子部品を実装する方法であって、
前記筐体の所定部位に案内溝部を有する装着案内機構部材を取付ける工程と、
当該操作面を揃えた状態で複数の電子部品が取付可能となされ、かつ、前記装着案内機構部材の案内溝部に沿って移動可能となされる支持固定部材を準備すると共に、当該支持固定部材を前記筐体の所定面以外に設けられた開口部位から挿入し、かつ、当該筐体の開口部の方向に移動し固着する工程とを有することを特徴とする電子部品の実装方法。
【請求項９】
前記電子部品は、
記録媒体を装着して情報の記録又は／及び情報の再生をする情報記録再生装置であることを特徴とする請求項８に記載の電子部品の実装方法。
【請求項１０】
前記筐体の所定面以外に設けられる開口部位は、
当該筐体を操作する面から見て左側面又は右側面であることを特徴とする請求項８に記載の電子部品の実装方法。
【請求項１１】
前記支持固定部材に、
前記装着案内機構部材の案内溝部に沿って移動可能な所定形状の係合突起部を設け、
前記装着案内機構部材の端面に前記案内溝部の一端を露出し、
前記支持固定部材の係合突起部を当該案内溝部の一端に位置合わせした後に、
前記支持固定部材を所定の方向へ押し込むように組み立てることを特徴とする請求項８に記載の電子部品の実装方法。
【請求項１２】
前記筐体の一側面に所定形状の係合部材を設け、
前記支持固定部材の所定の面に取っ手を設け、
前記取っ手の配置面とは反対側の面に前記筐体の係合部材に嵌合し固定可能な他の係合突起部を設けることを特徴とする請求項８に記載の電子部品の実装方法。
【請求項１３】
前記装着案内機構部材に、
前記支持固定部材をロックするためのロック機構を設けることを特徴とする請求項８に記載の電子部品の実装方法。
【請求項１４】
前記ロック機構に、
前記筐体の開口部方向とは反対方向に前記支持固定部材の移動を自由にするための施錠レバーを設け、
前記筐体内部の方向へ前記施錠レバーを押し込むことにより前記支持固定部材をロックすることを特徴とする請求項１３に記載の電子部品の実装方法。
【発明の詳細な説明】
【０００１】
【発明の属する技術分野】
本発明は、フロッピー（Ｒ）ディスクや、コンパクトディスク等を取り扱うオプティカルドライバを有したパーソナルコンピュータ等に適用して好適な電子部品実装組み立て機器及び電子部品の実装方法に関する。詳しくは、操作面を有した電子部品を所定の筐体に実装する場合に、当該操作面を揃えた状態で複数の電子部品が取付可能となされ、かつ、装着案内機構部材の案内溝部に沿って移動可能となされる支持固定部材を備え、この部材を筐体の所定面以外に設けられた開口部位から挿入し、かつ、当該筐体の開口部の方向に移動し固着するようにして、操作面を有した複数の電子部品の筐体への実装性及びその筐体からの分解性を向上できるようにしたものである。
【０００２】
【従来の技術】
近年、ディスクトップ型のパーソナルコンピュータ等の情報処理装置が使用される場合が多くなってきた。この種のパーソナルコンピュータには中央演算装置やハードディスク、メモリＩＣチップ等を実装した電子部品実装基板、インタフェースカード及び、電源ユニットが取付けられる。この他に、ＣＤ−ＲＷドライバや、ＤＶＤ−ＲＯＭドライバ、ＦＤ（フロッピー（Ｒ）ディスク）ドライバ等の情報記録再生装置が最初から取付けられ、若しくは、機能拡張ツールとしてこれらのオプティカルドライバ等の電子部品が取付け可能となされている機種が多い。
【０００３】
この種のオプティカルドライバ等の電子部品の取付けに関しては、特許文献１には「情報処理装置」が開示されている。この情報処理装置によれば、筐体から天面パネルが取り外され、筐体の上面から複数のオプティカルドライバ取付け可能なブラケットを装着したり、そのブラケットを取り外す構造が記載されている。また、特許文献２にも「情報処理装置」が開示されている。この情報処理装置によれば、筐体から左側面パネルが取り外され、筐体の左側面でハードディスク等の電子部品を取付け可能な構造が記載されている。
【０００４】
【特許文献１】
特開２００２−１０８５０２号
【特許文献２】
特開２００２−１０８５０３号
【０００５】
【発明が解決しようとする課題】
ところで、従来方式の情報処理装置によれば、以下のような問題がある。
▲１▼　特許文献１に記載された情報処理装置によれば、前面に操作面を有するオプティカルドライバを複数装着されたブラケットを筐体に取付ける場合に、天面パネルを取り外して筐体上面から筐体内に装着しなければならない。従って、特許文献１に記載された情報処理装置は、特許文献２に記載された情報処理装置のように、筐体から左側面パネルを取り外した状態で、左側面の開口部を利用してオプティカルドライバ用のブラケットを着脱することが困難な構造となっている。
【０００６】
▲２▼　因みに、特許文献１及び特許文献２を組み合わせた情報処理装置（以下電子部品実装組み込み機器ともいう）を考えたとき、ハードディスク及び、オプティカルドライバ用のブラケットとを組み込む場合に、天面パネル及び左側面パネルの両方を筐体から取り外さなければならない。従って、操作面を有した複数の電子部品の筐体への実装性及びその筐体からの分解性が悪くなる。
【０００７】
そこで、この発明はこのような従来の課題を解決したものであって、操作面を有した複数の電子部品の筐体への実装性及びその筐体からの分解性を向上できるようにした電子部品実装組み立て機器及び電子部品の実装方法を提供することを目的とする。
【０００８】
【課題を解決するための手段】
上述した課題は、操作面を有した電子部品が所定の筐体に実装される組込み機器であって、電子部品の操作面を露出させるための開口部を所定の面に有した筐体と、案内溝部を有して筐体の所定部位に取付けられた装着案内機構部材と、当該操作面を揃えた状態で複数の電子部品が取付可能となされ、かつ、装着案内機構部材の案内溝部に沿って移動可能となされる支持固定部材とを備え、この支持固定部材は、筐体の所定面以外に設けられた開口部位から挿入され、かつ、当該筐体の開口部の方向に移動され固着されることを特徴とする電子部品実装組み込み機器によって解決される。
【０００９】
本発明に係る電子部品実装組み込み機器によれば、操作面を有した電子部品を所定の筐体に実装する場合に、筐体の所定の面には電子部品の操作面を露出させるための開口部が設けられ、この筐体の所定部位には装着案内機構部材が取付けられる。この装着案内機構部材は案内溝部を有している。この装着案内機構部材の案内溝部に沿って支持固定部材が移動可能となされる。しかも、支持固定部材は、当該操作面を揃えた状態で複数の電子部品が取付可能となされている。これを前提にして、支持固定部材は筐体の所定面以外に設けられた開口部位から挿入され、かつ、当該筐体の開口部の方向に移動され固着するようになされる。
【００１０】
従って、複数の電子部品の操作面が筐体の開口部に並ぶように支持固定部材を再現性良く筐体に装着したり、その筐体から複数の電子部品が取付られた支持固定部材を容易に取り外すことができる。これにより、操作面を有した電子部品の筐体への実装性及びその筐体からの分解性を向上させることができる。
【００１１】
本発明に係る電子部品の実装方法は、筐体の所定の面に予め形成された開口部に、その操作面が外部に露出可能なように電子部品を実装する方法であって、筐体の所定部位に案内溝部を有する装着案内機構部材を取付ける工程と、当該操作面を揃えた状態で複数の電子部品が取付可能となされ、かつ、装着案内機構部材の案内溝部に沿って移動可能となされる支持固定部材を準備すると共に、当該支持固定部材を筐体の所定面以外に設けられた開口部位から挿入し、かつ、当該筐体の開口部の方向に移動し固着する工程とを有することを特徴とするものである。
【００１２】
本発明に係る電子部品の実装方法によれば、複数の電子部品の操作面が筐体の開口部に並ぶように支持固定部材を再現性良く筐体に装着したり、その筐体から複数の電子部品が取付られた支持固定部材を容易に取り外すことができる。従って、操作面を有した電子部品の筐体への実装性及びその筐体からの分解性を向上させることができる。
【００１３】
【発明の実施の形態】
続いて、この発明に係る電子部品実装組み立て機器及び電子部品の実装方法の一実施の形態について、図面を参照しながら説明をする。
図１は本発明に係る実施形態としての電子部品実装組み立て機器を応用したパーソナルコンピュータ１００の外観例、図２は、その左側面パネル１０の開蓋時の内部構成例及び、図３はオプティカルドライバの装着例を各々示す斜視図である。
【００１４】
この実施形態では操作面を有した電子部品を所定の筐体に実装する場合に、当該操作面を揃えた状態で複数の電子部品が取付可能となされ、かつ、装着案内機構部材の案内溝部に沿って移動可能となされる支持固定部材を備え、この部材を筐体の所定面以外に設けられた開口部位から挿入し、かつ、当該筐体の開口部の方向に移動し固着するようにして、操作面を有した複数の電子部品の筐体への実装性及びその筐体からの分解性を向上できるようにしたものである。
【００１５】
図１に示すディスクトップ型のパーソナルコンピュータ（情報処理装置）１００は電子部品実装組み立て機器の一例であり、操作面を有した電子部品が所定の筐体のに実装されるものである。このパーソナルコンピュータ（以下単にコンピュータという）１００においては、モニタ、キーボード及びマウス等は省略している。コンピュータ内には、図示しない中央演算装置（ＣＰＵ）やハードディスク、メモリＩＣチップ等を実装した電子部品実装基板（マザーボード）、インタフェースカード及び、電源ユニットが取付けられている。
【００１６】
このコンピュータ１００に実装される電子部品は、光ディスク、磁気ディスク等のディジタル記録媒体を装着して情報の記録又は／及び情報の再生をする記録再生装置（以下でオプティカルドライバという）等である。オプティカルドライバとしてはＣＤ−ＲＷドライバや、ＤＶＤ−ＲＯＭドライバ、ＦＤ（フロッピー（Ｒ）ディスク）ドライバ等を対象としている。
【００１７】
このコンピュータ１００には所定の大きさの金属性の筐体２が備えられる。筐体２は図１に示すように、例えば着脱可能な樹脂製の前面パネル９、左側面パネル１０、右側面パネル１１、天面パネル１２により覆われ、これらのパネル９〜１２に覆われたコンピュータ本体の大きさは、幅Ｗが２０ｃｍ程度で、奥行Ｌが３８ｃｍ程度であり、高さＨが３８ｃｍ程度である。前面パネル９には扉体１５、１６及び蓋体１７ａ，１７ｂが可動自在に取けられている。オプティカルドライバにディジタル記録媒体をセットしたり、これらの記録媒体を外部に取り出すためである。
【００１８】
筐体２は図２に示すように、例えば前面板１、フレームシャーシ３、底面板４、側面板５（図示せず）、天面板６及び中間板（センターシャーシ）７を有している。この前面板（所定の面）１には、オプティカルドライバの操作面を露出させるための開口部が設けられている。
【００１９】
この例でコンピュータ本体の前面パネル以外の例えば、当該コンピュータ１００を操作する前面から見て左側の、図２に示すような左側面パネル１０が取り外され、マザーボード１３やオプティカルドライバ等を着脱する際の部品取付用の開口部位となされている。
【００２０】
このようにすると、コンピュータ１００の左側面パネル１０のみを外し、前面パネル９や、右側面パネル１１、天面パネル１２等を外すことなく、オプチカルドライバや、ハードディスク等を同じ開口部側から外部へ取り外すことができるようになる（左側面ドライバアクセス機構）。もちろん、開口部位は左側面に限られることはなく、当該コンピュータ１００の前面から見て右側面を開口し、部品取付用の開口部位として、電子部品を組み入れるようにしてもよい。
【００２１】
図１に示す筐体２の天面板６、例えば、図中の二点鎖線で示す位置には装着案内機構部材の一例となるブラケットガイド機構８が取付けられている。ブラケットガイド機構８は図示しない案内溝部を有している。ブラケットガイド機構８については、図１０Ａ及びＢで説明する。
【００２２】
この筐体２には支持固定部材の一例となる複数ドライバ取付用のブラケット２１が着脱自在に取付けられ、当該ドライバの操作面を揃えた状態で２個のオプティカルドライバが取付可能となされ、かつ、ブラケットガイド機構８の案内溝部に沿って移動可能となされている。図３に示すブラケット２１には、例えば、ＣＤ−ＲＷドライバ２２や、ＤＶＤ−ＲＯＭドライバ２３等のオプティカルドライバがネジで固定される。このようなドライバが取付けられたブラケット２１は、図２示したコンピュータ本体の左側面パネル１０を取り外すことにより得られる空間部位、すなわち、部品取付用の開口部位から挿入され、かつ、当該筐体２の前面の開口部の方向に移動され固着される。
【００２３】
図４Ａはブラケット２１の構造例を示す上面図であり、図４Ｂはその正面図である。図４Ａに示すブラケット２１の大きさは本体上面から見たとき、長さｌが１６．２ｃｍ程度であり、幅ｗが１５ｃｍ程度である。図４Ｂに示すブラケット２１を本体正面から見たとき、その高さｈは８．６ｃｍ程度である。ブラケット本体は取っ手付きの蓋体２４と、前部及び背部の２面が開放された凹状の箱体３１から構成される。箱体内は空間部３０を成している。この空間部３０にはＣＤ−ＲＷドライバ２２や、ＤＶＤ−ＲＯＭドライバ２３等のオプティカルドライバが装着される。
【００２４】
これらの蓋体２４及び箱体３１は、いずれも鉄板を打ち抜いて折り曲げ加工され、所定の形状に構成される。図４Ａに示す蓋体２４の左側であって、図４Ｂに示すブラケット本体の左側面には取っ手２５が設けられ、ブラケット２１を筐体２へ挿入したり、それを取り出す際に使用される。蓋体２４は箱体３１の所定の位置に設けられた係合部位でリベット等によりかしめ固定される。この例では、箱体３１の左側面及び右側面の上部に係合部位が設けられると共に、取っ手２５の下部が箱体３１の左側面の下部にかしめ固定されている。
【００２５】
図４Ａに示すブラケット２１は爪構造を有している。蓋体２４上面には２個の爪部２６ａ、２６ｂ及び係合突起部の一例となる凸形状の大小６個の突っ張り片２７ａ，２７ｂ，２７ｃ，２７ｄ、２８ａ，２８ｂが設けられている。各々の爪部２６ａ，２６ｂは２連状を成し、蓋体上面からオプティカルドライバの方へ向けて付勢され、オプティカルドライバを拘束するように押し付けられる。大きい方の４個の突っ張り片２７ａ，２７ｂ，２７ｃ，２７ｄは、ブラケットガイド機構８の案内溝部に可動自在に係合され、この案内溝部に沿ってスライドするようになされる。
【００２６】
この蓋体中央部の２個の突っ張り片２７ａ，２７ｂは、ブラケット装着完了時に天面板６の爪部に嵌合され、当該ブラケット２１を筐体２に固定するようになされる。小さい方の２個の突っ張り片２８ａ，２８ｂは施錠レバー９０の突起部によって施錠（ロック）される。このロックによって、筐体２から当該ブラケット２１が抜け出るのを防止される。いずれの突っ張り片２７ａ，２７ｂ，２７ｃ，２７ｄ、２８ａ，２８ｂも台形状に押し出し加工されて成る。
【００２７】
図４Ｂに示す取っ手２５の配置面とは反対側の面（右側面）には、他の係合突起部の一例となる突っ張り片３２ａ，３２ｂが設けられ、筐体２の係合部材に嵌合し固定可能なようになされる。ブラケット２１をしっかりと、筐体２の右側板５に固定するためである。
【００２８】
図４Ｂに示す箱体３１の中央内部の左右面には張り出し片３４ａ，３５ａが設けられ、ブラケット内上部に装着されるオプティカルドライバを支持するようになされる。ブラケット内上部のみにオプティカルドライバを装着される場合を考慮したためである。
【００２９】
図５Ａはブラケット２１の構造例を示す右側面図及び、図５Ｂはその左側面図である。図５Ａに示すブラケット２１の右側面上方には、３個の２連状の爪部３３ａから３３ｃが設けられ、ブラケット２１の右側面からその内部へ向けて付勢され、ブラケット内上部に装着される例えば、ＣＤ−ＲＷドライバ２２を拘束するように押し付けられる。同様にして、ブラケット２１の右側面下方には、３個の２連状の爪部３３ｄ〜３３ｆが設けられ、ブラケット２１の右側面からその内部へ向けて付勢され、ブラケット内下部に装着される例えば、ＤＶＤ−ＲＯＭドライバ２３を拘束するように押し付けられる。箱体３１の中央外部から内部には、折り曲げ加工された上述の４個の張り出し片（右側分）３４ａ〜３４ｄや、その外部にはプレス処理された２個の突っ張り片３２ａ，３２ｂが設けられている。
【００３０】
図５Ｂに示すブラケット２１の左側面上方には、２個のネジ止め用の係合部位３６ａ，３６ｂが設けられ、ブラケット内上部に装着されるＣＤ−ＲＷドライバ２２をネジ止めして固定するようになされる。係合部位３６ａ，３６ｂは補強のために凹部皿状に板金加工されている。各々の係合部位３６ａ，３６ｂには２カ所のネジ止め用の開口部３７が準備されている。どちらの開口部を使用してもよい。オプティカルドライバ側の雌ネジの位置を考慮したものである。
【００３１】
同様にして、ブラケット２１の左側面下方には、２個のネジ止め用の係合部位３６ｃ，３６ｄが設けられ、ブラケット内下部に装着されＤＶＤ−ＲＯＭドライバ２３をネジ止めして固定するようになされる。この係合部位３６ｃ，３６ｄも補強のために凹部皿状に板金加工されている。係合部位３６ｃ，３６ｄには２カ所のネジ止め用の開口部３７が準備されている。箱体３１の中央外部から内部には、折り曲げ加工された上述の４個の張り出し片（左側分）３５ａ〜３５ｄが設けられている。
【００３２】
図６は筐体２の前面板１の正面の構造例を示す図である。図６に示す前面板１は長方形状を有しており、その大きさは、本体上面から見たとき、高さＨ’が３５．８ｃｍ程度であり、幅Ｗ’が１７６．６ｃｍ程度である。前面板１は厚さ０．４乃至０．６ｍｍ程度の鉄板を打ち抜いて形成される。前面板１の上部には開口部４１が形成され、オプティカルドライバの操作面を露出するようになされる。もちろん、この操作面は図１に示したような前面パネル９の扉体１５によって覆われ、使用時に扉体１５が開蓋される。
【００３３】
この開口部４１の大きさは幅ａが１４．６ｃｍ程度であり、高さｂが５．７ｃｍ程度である。ＣＤ−ＲＷドライバ２２や、ＤＶＤ−ＲＯＭドライバ２３等のオプティカルドライバを重ねて装着した場合に、２つの操作面を露出できるようにしたためである。このドライバ用の開口部４１の下方には他の開口部４２が設けられ、更に前面板１の下部には開口部４３が形成され、他の電子部品を取付けるようになされる。前面板１の四隅には、係合用の開口部４４ａ〜４４ｄが設けられ、この開口部４４ａ〜４４ｄには前面パネル９が取付けられる。図示しないが前面板１の側面や、上面、底面には、係合片が設けられ、底面板４や右側板５、天面板６等と係合するようになされる。筐体２を構成するためである。
【００３４】
図７は筐体２の底面板４や天面板６と係合された右側板５の構造例を示す図である。図７に示す右側板５はほぼ正方形状を有しており、その大きさは、本体左面から内側を見たとき、高さＨ’が３５．８ｃｍ程度であり、長さＬ’が３５．３ｃｍ程度である。右側板５は厚さ０．４乃至０．６ｍｍ程度の鉄板を打ち抜いて形成される。
【００３５】
この右側板５の右側面上方には、ブラケット右側面固定用の係合部位５１が設けられている。この係合部位５１は補強のために凹部長方形皿状に板金加工されている。この係合部位５１には係合部材の一例となる２カ所の爪部５２ａ，５２ｂ及び、当接用の２個の突っ張り片５３ａ，５３ｂが設けられている。
【００３６】
一方の爪部５２ａはブラケット２１の突っ張り片（係合突起部）３２ａに係合され固定される。他方の爪部５２ｂはブラケット２１の突っ張り片３２ｂに係合され固定される。突っ張り片５３ａ，５３ｂはブラケット２１を横方向（正面から見て右側）への動きを止めるためのストッパ的機能を有する。爪部５２ａ，５２ｂ及び突っ張り片５３ａ，５３ｂのいずれも、右側板５を構成する鉄板を打ち抜き折り曲げ加工されてなる。例えば、爪部５２ａ，５２ｂ及び突っ張り片５３ａ，５３ｂは外部から内部へ向けて張り出すように加工されている。
【００３７】
また、右側板５の後部にはフレームシャーシ３を係合するための係合片５５ａや、その前部には前面板１を係合するための係合片５５ｂが設けられている。更に、右側板５の所定の位置、例えば、底面板４から高さＨ１の位置には中間板７が取付けられる。この中間板７を支持するために、例えば、３個の係合片５４ａ〜５４ｃが右側板５の所定の位置に設けられる。いずれの係合片も外部から内部へ向けて張り出すように加工されている。中間板７を引っかけて支持するためである。
【００３８】
なお、天面板６の左端面（こば面）には２カ所の切り欠き部６１ａ，６１ｂが設けられている。この切り欠き部６１ａ，６１ｂは、図示ないブラケットガイド機構８の案内溝部延長上に位置するように形成されている。ブラケット装着時に、この切り欠き部６１ａ，６１ｂの凹形状にブラケット２１の突っ張り片２７ｂ，２７ｄの凸形状をねらい合わせることで、ブラケット本体をブラケットガイド機構８へ挿入しやすくなる。この切り欠き部６１ａ，６１ｂが無いと、ブラケットを筐体２に挿入する際のねらいが難しくなるが、この切り欠き部６１ａ，６１ｂを目標とすることで、ブラケット２１を組み付け易くなる。
【００３９】
図８は筐体２の中間板７の上面の構造例を示す図である。図８に示す中間板（センターシャーシ）７は長方形状を有しており、その大きさは、本体上面から見たとき、高さ幅Ｗ’が１７．６ｃｍ程度であり、長さＬ’が３５．１ｃｍ程度である。中間板７は厚さ０．４乃至０．６ｍｍ程度の鉄板を打ち抜いて形成される。中間板７の上部にはブラケット底面固定用の係合部位７１が設けられている。この係合部位７１は補強のために凹部正方形皿状に板金加工されている。
【００４０】
この係合部位７１には開口部７２、７３が設けられ、この係合部位７１の開口部７２，７３の他に、中間板７には他の開口部７４，７５が形成されている。これらの開口部７２〜７５は、オプティカルドライバとマザーボード１３等とを接続する際に配線ケーブルを引き入れたり、他の電子部品を取付けるようになされる。
【００４１】
また、図８に示す中間板７の中央部であって、左側面（左端部）側には、ブラケット２１の挿入目印を示すラベル７６が貼付されている。このラベル７６には矢印を９０°に折れ曲がるように表現した挿入目印が形成される。ブラケット挿入時に、無駄な力を加えなくても、円滑に凸状の突っ張り片２７ａ〜２７ｄ等を挿入スライドできるようにしたためである。この他に、中間板７には係合片７７ａ，７７ｂや係合用の開口部７８ａ〜７８ｄが設けられる。
【００４２】
図９は筐体２の天面板６の上面の構造例を示す図である。図９に示す天面板６は長方形状を有しており、その大きさは、本体下面から見たとき、高さ幅Ｗ’が１７．８ｃｍ程度であり、長さＬ’が３５．１ｃｍ程度である。天面板６は厚さ０．４乃至０．６ｍｍ程度の鉄板を打ち抜いて形成される。天面板６の上部にはブラケット上面固定用の係合部位６２が設けられている。この係合部位６２は補強のために凹部長方形形皿状に板金加工されている。
【００４３】
この係合部位６２には２個の円形状の開口部６３ａ，６３ｂ、５個の長方形状の開口部６４ａ〜６４ｅ、及び、２個の爪部６５ａ，６５ｂが設けられている。係合部位６２には二点鎖線で示すようなブラケットガイド機構８が取付けられる。円形状の開口部６３ａ，６３ｂにはブラケットガイド機構８の円柱状の突起部８３ａ，８３ｂがはめ込まれる。
【００４４】
この５個の長方形状の開口部６４ａ〜６４ｅにはブラケットガイド機構８の天面固定用の各々の爪状の突起部８４ａ〜８４ｅがはめ込まれる。爪部６５ａにはブラケット２１の突っ張り片２７ａが嵌合され、爪部６５ｂにはブラケット２１の突っ張り片２７ｂが各々嵌合され固定される。
【００４５】
この係合部位６２の他に、天面板６には他の係合部位６６が形成されている。この係合部位６６は他の電子部品を固定する際に使用される。天面板６には他の６個の開口部６７ａ〜６７ｆが設けられ、天面パネル１２を取付ける際に使用される。このような構造にすると、ブラケット２１は装着完了時に上述した天面板６の爪部６５ａ，６５ｂに固定されると共に、右側板５の爪部５２ａ，５２ｂ及び中間板７によって固定できるようになる。この構造によって、搬送時にも、ゆるむことなく、しっかりとブラケット２１を堅持することができる。
【００４６】
図１０Ａはブラケットガイド機構８の本体部材８１の構造例を示す上面図である。この本体部材８１は図１０Ａに示すような逆Ｌ形状の樹脂成形品から構成される。本体部材８１は、例えば、樹脂射出金型成形装置を使用して形成される。本体部材８１の中央部には円柱状の突起部８３ａ，８３ｂが形成されている。図９に示した天面板６の円形状の開口部６３ａ，６３ｂに嵌合させるためである。
【００４７】
この突起部８３ａ，８３ｂの両側には開口部８５ａ，８５ｂが設けられており、この開口部８５ａ，８５ｂにおいて、後述する施錠レバー９０の動きが見られるようになされている。開口部８５ａにはレバー受け部８８ａ，８８ｄが設けられ、開口部８５ｂにはレバー受け部８８ａ，８８ｄが各々設けられる。施錠レバー９０を自在にスライドさせるためである。
【００４８】
この突起部８３ａ，８３ｂ及び開口部８５ａ，８５ｂの形成領域の上方及び下方には凹状穴部位８６ａ〜８６ｃが設けられている。上方凹状穴部位８６ａには３個の突起部（リブ）８４ａ〜８４ｃが突設されている。これらの突起部８４ａ〜８４ｃは天面板６の開口部６４ａ〜６４ｃに各々嵌合される。
【００４９】
下方の凹状穴部位８６ｂには突起部８４ｄが突設され、その凹状穴部位８６ｃには突起部８４ｅが各々１個ずつの突設されている。突起部８４ｄは天面板６の開口部６４ｃに嵌合され、突起部８４ｅはその開口部６４ｅに各々嵌合される。これにより、ブラケットガイド機構８の本体部材８１を天面板６へ固定することができる。
【００５０】
この本体部材８１の中央上部には開口部８７ａが設けられ、ブラケット２１の突っ張り片２７ａを潜らせ、この突っ張り片２７ａを天面板６の爪部６５ａに至るようにするためである。同様にして、本体部材８１の中央下部には開口部８７ｂが設けられ、ブラケット２１の突っ張り片２７ｂを潜らせ、この突っ張り片２７ｂを天面板６の爪部６５ｂに至るようにするためである。この構造によって、搬送時にも、ゆるむことなく、しっかりとブラケット２１を堅持することができる。
【００５１】
図１０Ｂはブラケットガイド機構８の本体部材８１の下面の構造例を示す図である。図１０Ｂに示す本体部材８１の下面の構造例によれば、図１０Ａに示した円柱状の突起部８３ａ，８３ｂの裏面側には、施錠レバー９０のスライド用の溝部８１０が設けられる。
【００５２】
この溝部８１０の上方には上述した開口部８７ｂを含む凹状穴部位８２ｂが設けられ、案内溝部８２ｂを成している。この案内溝部８２ｂにはブラケット２１の突っ張り片２７ｂ，２７ｃがスライド自在に通過するようになされる。この溝部８１０の下方には上述した開口部８７ａを含む凹状穴部位８２ａが設けられ、案内溝部８２ａを成している。案内溝部８２ａにはブラケット２１の突っ張り片２７ａ，２７ｄがスライド自在に通過するようになされる。
【００５３】
案内溝部８２ａの一方の側は直線状の壁面で規制されると共に、開口部８７ａに至るまで他方の側が幅ｗ１で規制されている。開口部８７ａの付近では他方の側が広がっている。同様にして、案内溝部８２ｂの一方の側は直線状の壁面で規制されると共に、開口部８７ｂに至るまで他方の側が幅ｗ２で規制されている。開口部８７ｂの付近では他方の側が広がっている。これは、ブラケット２１の第１動作で筐体２の左から右方向への挿入移動を規制し、ブラケット２１の第２動作で筐体の背面から前面方向への移動を自由にするようにしたためである。
【００５４】
また、溝部内には円形状の開口穴部８９ａ、半円半四角形状の開口穴部８９ｂ及び一端開放状の長方形溝部８９ｃが設けられる。これらの開口穴部８９ａ，８９ｂ及び長方形溝部８９ｃは、ブラケット２１をロックするためのロック機構を構成するものである。
【００５５】
図１１Ａはブラケットガイド機構８の施錠レバー９０の構造例を示す上面図である。図１１Ａに示す施錠レバー９０はＬ形状の金属板から構成される。施錠レバー９０の本体部材９１は、例えば、厚さ０．４乃至０．６ｍｍ程度の長方形状の鉄板を使用して形成される。本体部材９１の短手方向の両側端部は折り曲げられ、レバー端部が補強されている。また、本体部材９１の長手方向の一端は９０°に折り曲げられ、親指等により押下し易く、しかも、引っ張り易くなされている。
【００５６】
この施錠レバー９０はブラケットガイド機構８の本体部材８１に可動自在に係合される。例えば、本体部材９１はブラケットガイド機構８の本体部材８１の溝部８１０、レバー受け部８８ａ〜８８ｄによって可動自在に支持される。
【００５７】
また、本体部材９１の中央部には半円半四角形状の板バネ片９２が打ち抜き加工されている。この板バネ片９２の一端には凸状の突起部９３が設けられる。この突起部９３は本体部材８１の開口穴部８９ａや開口穴部８９ｂ等で移動を規制するようになされる。一定以上の張力が加わったときに、施錠レバー９０を本体部材８１から抜け出るようにしたためである。
【００５８】
この板バネ片９２の両側には２個の円筒状の突起部９４ａ，９４ｂが設けられる。一方の突起部９４ａはブラケット装着時に当該ブラケット２１の突っ張り片２８ａを係止するようになされる。他方の突起部９４ｂは同様にしてその突っ張り片２８ｂを係止するようになされる。これにより、施錠レバー９０を筐体２の内部方向へ押し込むことによりブラケット２１をロック可能なロック機構が構成される。
【００５９】
続いて、本発明に係る電子部品の実装方法について、パーソナルコンピュータの筐体２へブラケット２１を装着する方法を説明する。図１２はブラケット２１の装着時の動作例を示す上面図である。図１３はその施錠レバー解除時の構造例を示す図である。図１４はブラケット２１の装着完了時の構造例を示す上面図である。図１５は施錠レバーロック時の構造例を示す図である。
【００６０】
この例では、所定部位に案内溝部８２ａ，８２ｂを有したブラケットガイド機構８が既に筐体２の天面板６に取付けられている。そのブラケットガイド機構８には筐体２の前面方向と、その反対方向との間でブラケット２１の移動を自由にし、又は動きを固定する施錠レバー９０が設けられる。この例ではブラケット装着時及びブラケット取外し時の２つの動作に分けて説明をする。
［ブラケット装着時］
この例では、筐体２の前面板１に予め形成された開口部４１に、これらのオプティカルドライバの操作面が外部に露出可能なようにブラケット２１を実装する場合を前提とする。もちろん、左側面パネル１０が既に筐体２から取り外されている。これらを組み込み条件にして、まず、図１２に示すブラケット２１に、図３で説明したようなＣＤ−ＲＷドライバ２２や、ＤＶＤ−ＲＯＭドライバ２３等のオプティカルドライバを装着する。
【００６１】
このとき、ＣＤ−ＲＷドライバ２２は、図５Ａに示した張り出し片３４ａ〜３４ｄ、張り出し片３５ａ〜３５ｄ等によって支持される。これと共に、ブラケット２１の右側面上方に設けられた３個の２連状の爪部３３ａ〜３３ｃと、図５Ｂに示したブラケット２１の左側面上方のネジ止め用の係合部位３６ａ，３６ｂにおける２個のネジ止めによって、ブラケット内上部に装着されたＣＤ−ＲＷドライバ２２が固定される。ＤＶＤ−ＲＯＭドライバ２３はブラケット２１の右側面下方に設けられた３個の２連状の爪部３３ｄ〜３３ｆと、図５Ｂに示したブラケット２１の左側面下方のネジ止め用の係合部位３６ｃ，３６ｄにおける２個のネジ止めによって、ブラケット２１内上部に装着され固定される。
【００６２】
そして、図１３に示すように施錠レバー９０が手前に引かれて解除されていることを確認する。このとき、施錠レバー９０の凸状の突起部９３が半円半四角形状の開口穴部８９ｂの位置に落ち込む状態である。この状態によれば、施錠レバー９０の本体部材９１が開口部８５ａ上を覆わない位置に移動しているので、図１３において開口部８５ａが見通せるようになされる。
【００６３】
そして、図８に示したラベル７６の矢印の向きに従って、当該ブラケット２１を筐体２の左側面の部品取付用の開口部位から挿入すべく、図１２に示す筐体２とブラケット２１とを位置合わせする。このとき、図７で示したように、天面板６の左端面（こば面）に設けられた２カ所の凹状の切り欠き部６１ａ，６１ｂに、ブラケット２１の突っ張り片２７ｂ，２７ｄの凸形状をねらい合わせるようになされる。この切り欠き部６１ａ，６１ｂがブラケットガイド機構８の案内溝部８２ａ，８２ｂの延長上に位置するように形成されているためである。ブラケット２１が組み付けし易くなる。
【００６４】
そして、図１４に示すように、当該ブラケット２１を筐体２の前面板１の開口部４１の方向に移動し固着する。このとき、図１０Ｂで説明したように、案内溝部８２ａにはブラケット２１の突っ張り片２７ａ，２７ｄがスライド自在に通過するようになされる。案内溝部８２ｂにはブラケット２１の突っ張り片２７ｂ，２７ｃがスライド自在に通過するようになされる。また、ブラケット２１は右側板５の右側面上方に設けられた２個の突っ張り片５３ａ，５３ｂに当接される。
【００６５】
更に、ブラケットガイド機構８の本体部材８１の中央上部に設けられた開口部８７ａに、ブラケット２１の突っ張り片２７ａが到達すると、この突っ張り片２７ａが天面板６の爪部６５ａに至るようになる。同様にして、本体部材８１の中央下部に設けられた開口部８７ｂに、ブラケット２１の突っ張り片２７ｂが到達すると、この突っ張り片２７ｂが天面板６の爪部６５ｂに至るようになる。
【００６６】
この構造によって、ブラケット２１が天面板６にしっかりと固定される。これと共に、右側板５の右側面上方に設けられた一方の爪部５２ａにはブラケット２１の突っ張り片３２ａが嵌合され固定される。他方の爪部５２ｂにはブラケット２１の突っ張り片３２ｂが嵌合され固定される。この構造によって、ブラケット２１が右側板５にしっかりと固定される。
【００６７】
そして、図１５に示す施錠レバー９０を押し込むことで当該ブラケット２１をロックするようになされる。このとき、施錠レバー９０の凸状の突起部９３が円形状の開口穴部８９ａの位置に落ち込む状態である。この状態によれば、施錠レバー９０の本体部材９１が開口部８５ａ上を覆う位置に移動しているので、図１５において、開口部８５ａが見通せない状態であり、長方形溝部８９ｃも隠れて見ない状態である。
【００６８】
この状態は、施錠レバー９０の一方の突起部９４ａがブラケット２１の突っ張り片２８ａを係止するようになされる。他方の突起部９４ｂも同様にしてその突っ張り片２８ｂを係止するようになされる。その後、左側面パネル１０を筐体２へ取り付ける。このような構造によって、搬送時に、輸送などの衝撃で施錠レバー９０がはずれたり、ブラケット２１がはずれることを防止できる。
［ブラケット取外し時］
このようなブラケット２１を筐体２から取り外すときは、上述と反対の操作をすればよい。例えば、筐体２から左側面パネル１０を取り外す。その後、施錠レバー９０を手前に引いてロック解除をする。そして、ブラケット２１を前面方向から背面方向へスライドさせた後に手前へ引く。この構造でブラケット２１が筐体２から外れるようになる。従って、コンピュータの大部分の電子部品と同様に、左側面パネルを取り外すことのみで、オプティカルドライバを装着したブラケット２１にアクセスすることができる。
【００６９】
このように、本発明に係る実施形態としての電子部品実装組み込み機器を応用したパーソナルコンピュータ１００及び、オプティカルドライバの実装方法によれば、操作面を有したオプティカルドライバを所定の筐体２に実装する場合に、筐体２の前面板１にはオプティカルドライバの操作面を露出させるための開口部４１が設けられ、この筐体２の天面板６にはブラケットガイド機構８が取付けられる。このブラケットガイド機構８の案内溝部８２ａ，８２ｂに沿って複数ドライバ取付用のブラケット２１が移動可能となされる。
【００７０】
しかも、ブラケット２１は、当該操作面を揃えた状態で２台のオプティカルドライバが取付可能となされている。これを前提にして、ブラケット２１は筐体２の前面以外に設けられた左側面の部品取付用の開口部位から挿入され、かつ、当該筐体２の前面の開口部４１の方向に移動され固着するようになされる。
【００７１】
従って、２台のオプティカルドライバの操作面が筐体２の前面の開口部４１に並ぶようにブラケット２１を再現性良く筐体２に装着したり、その筐体２から２台のオプティカルドライバが取付られたブラケット２１を容易に同時に取り外すことができる。これにより、操作面を有したオプティカルドライバの筐体２への実装性及びその筐体２からの分解性を向上させることができる。このような構造によって、電子部品の組み立て分解性に優れ、かつ、ユーザのメンテナンス性を向上することができた。
【００７２】
【発明の効果】
以上説明したように、本発明に係る電子部品実装組み込み機器及び電子部品の実装方法によれば、操作面を有した電子部品を所定の筐体に実装する場合に、当該操作面を揃えた状態で複数の電子部品が取付可能となされ、かつ、装着案内機構部材の案内溝部に沿って移動可能となされる支持固定部材を備え、この支持固定部材は筐体の所定面以外に設けられた開口部位から挿入され、かつ、当該筐体の開口部の方向に移動され固着されるものである。
【００７３】
この構造によって、複数の電子部品の操作面が筐体の開口部に並ぶように支持固定部材を再現性良く筐体に装着したり、その筐体から複数の電子部品が取付られた支持固定部材を容易に取り外すことができる。これにより、操作面を有した電子部品の筐体への実装性及びその筐体からの分解性を向上させることができる。
【００７４】
この発明はフロッピー（Ｒ）デスクやコンパクトディスク等を取り扱うオプティカルドライバを有したパーソナルコンピュータ等に適用して極めて好適である。
【図面の簡単な説明】
【図１】本発明に係る実施形態としての電子部品実装組み立て機器を応用したパーソナルコンピュータ１００の外観例を示す斜視図である。
【図２】その左側面パネル１０の開蓋時の内部構成例を示す斜視図である。
【図３】オプティカルドライバの装着例を示す斜視図である。
【図４】Ａ及びＢはブラケット２１の上面及び正面の構造例を示す図である。
【図５】Ａ及びＢはブラケット２１の左右側面の構造例を示す図である。
【図６】筐体２の前面板１の正面の構造例を示す図である。
【図７】筐体２の底面板４や天面板６と係合された右側板５の構造例を示す図である。
【図８】筐体２の中間板７の上面の構造例を示す図である。
【図９】筐体２の天面板６の上面の構造例を示す図である。
【図１０】Ａ及びＢはブラケットガイド機構８の本体部材の構造例を示す上面及び下面図である。
【図１１】Ａ及びＢはブラケットガイド機構８の施錠レバー９０の上面及び側面の構造例２を示す図である。
【図１２】ブラケット２１の装着時の動作例を示す上面図である。
【図１３】その施錠レバー解除時の構造例を示す図である。
【図１４】ブラケット２１の装着完了時の構造例を示す一部破砕の上面図である。
【図１５】施錠レバーロック時の構造例を示す図である。
【符号の説明】
１・・・前面板（筐体）、２・・・筐体、３・・・フレームシャーシ（筐体）、４・・・底面板（筐体）、５・・・右側板（筐体）、６・・・天面板（筐体）、７・・・中間板（筐体）、８・・・ブラケットガイド機構（装着案内機構部材）、２１・・・ブラケット（支持固定部材）、２２・・・ＣＤ−ＲＯＭドライバ（情報記録再生装置）、２３・・・ＤＶＤ−ＲＯＭドライバ（情報記録再生装置）、２４・・・蓋体、２５・・・取っ手、２６ａ，２６ｂ・・・爪部、２７ａ〜２７ｄ，２８ａ，２８ｂ・・・突っ張り片（係合突起部）、３１・・・箱体、４１・・・開口部、５２ａ，５２ｂ・・・爪部（係合部材）、７６・・・ラベル、８２ａ，８２ｂ・・・案内溝部、９０・・・施錠レバー、１００・・・パーソナルコンピュータ（電子部品実装組み込み機器）
【図１】
2004102709.tif 000003
【図２】
2004102709.tif 000004
【図３】
2004102709.tif 000005
【図４】
2004102709.tif 000006
【図５】
2004102709.tif 000007
【図６】
2004102709.tif 000008
【図７】
2004102709.tif 000009
【図８】
2004102709.tif 000010
【図９】
2004102709.tif 000011
【図１０】
2004102709.tif 000012
【図１１】
2004102709.tif 000013
【図１２】
2004102709.tif 000014
【図１３】
2004102709.tif 000015
【図１４】
2004102709.tif 000016
【図１５】
2004102709.tif 000017